(57)【特許請求の範囲】
【請求項１】
冊子形式かつ開いた状態の譜面の左右二つの角を各々収容する二つのスリット
を備え、
前記二つのスリットは、前記譜面の左下の角及び右下の角を各々収容し、
前記二つのスリットは、前記譜面を支持する背面部を切り抜くことにより設けられ、
前記二つのスリットの間隔は、前記背面部の下端側に進むにつれて短縮され、
前記背面部の中央より左側のスリットの左端は、当該スリットの右端よりも前記背面部の上端側に位置し、
前記背面部の中央より右側のスリットの右端は、当該スリットの左端よりも前記背面部の上端側に位置する
譜面立て。
【請求項２】
請求項１に記載の譜面立てであって、
前記背面部の左右前方に位置する前方部を備え、
前記背面部から前記前方部に至る段差部に前記スリットが設けられ、
樹脂一体成型により一部品で構成された
譜面立て。
【発明の詳細な説明】
【技術分野】
【０００１】
本発明は、譜面の閲覧に用いる譜面立てに関する。
【背景技術】
【０００２】
従来の譜面立ては、譜面を支持する背面板の前に譜面の印字部分が隠れない程度の高さの突起物を配置することで頁のめくれを防止する構成となっていた。図１を参照して従来の譜面立ての構造を概説する。図１は、鍵盤楽器に付帯する従来の譜面立て９の構造を示す概略斜視図である。図１に示すように、譜面立て９は、譜面台９３と、譜面台９３上から演奏者からみて斜め後方かつ斜め上方に延伸された譜面板９１と、演奏者からみて譜面板９１の手前側かつ譜面台９３上に、鍵盤の配列方向に延伸された角棒形状の譜面立て竿９２を備える。電子鍵盤楽器では樹脂成型により製造した譜面立てが用いられる場合が多い。特許文献１には、樹脂一体成型により簡単に製造することができ、楽譜がめくれないように保持することができる譜面台が開示されている。
【先行技術文献】
【特許文献】
【０００３】
【特許文献１】特開２００８−０８６３７９号公報
【発明の概要】
【発明が解決しようとする課題】
【０００４】
図１に示した譜面立て９を用いる場合、冊子形式の譜面の頁を捲る際に譜面立て竿９２と頁の下端とが引っ掛かって邪魔になる場合があった。特許文献１の譜面台においても同様の課題が見受けられる。特許文献１の譜面台では、頁を捲る際にストッパー部と頁の下端とが引っ掛かって邪魔になる場合があった。特に演奏者自らが演奏中に譜面の頁を捲る必要がある場合、演奏の妨げとならないように、速やかに頁捲りを行えることが望ましい。しかしながら、上述した理由から図１に示した譜面立て９や特許文献１の譜面台において速やかに頁捲りを行うことは難しく、無理に頁を素早く捲ろうとすれば頁が破れてしまうこともあった。
【０００５】
そこで本発明では、譜面の頁捲りを円滑かつ速やかに行うことができる譜面立てを提供することを目的とする。
【課題を解決するための手段】
【０００６】
本発明の譜面立ては、冊子形式かつ開いた状態の譜面の左右二つの角を各々収容する二つのスリットを備える。
【発明の効果】
【０００７】
本発明の譜面立てによれば、譜面の頁捲りを円滑かつ速やかに行うことができる。
【図面の簡単な説明】
【０００８】
【図１】鍵盤楽器に付帯する従来の譜面立て９の構造を示す概略斜視図。
【図２】実施例１の譜面立ての概略構成を示す図。
【図３】実施例１の譜面立てに設けるスリットの位置および形状のバリエーション（変形例）を示す図。
【図４】実施例１及びその変形例の譜面立てのスリットに譜面を差し込んだ場合の譜面の形状を例示する概略断面図であって、図４Ａは、段差部がない場合の譜面の形状を例示する概略断面図、図４Ｂは、段差部を設けた場合の譜面の形状を例示する概略断面図、図４Ｃは、図４Ｂの場合よりも大きな段差ｄの段差部を設けた場合の譜面の形状を例示する概略断面図。
【図５】第１の実施形態の譜面立てをその表面（前面）から見た斜視図。
【図６】第１の実施形態の譜面立てをその裏面（背面）から見た斜視図。
【図７】第１の実施形態の譜面立てを樹脂一体成型により製造するための金型の断面図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
以下、図２を参照して本発明の実施例１の譜面立てについて説明する。図２は、本実施例の譜面立て４の概略構成を示す図である。図２に示すように、譜面立て４は、冊子形式かつ開いた状態の譜面８の左右下端の二つの角を各々収容する二つのスリット４１０Ｌ、４１０Ｒを備える。二つのスリット４１０Ｌ、４１０Ｒは、譜面８を支持する背面部４１に設けられる。背面部４１は例えば長方形の板とすることができるが、その形状は、譜面の背、表紙などを凭せ掛けることができる形状であれば、どんな形状でもよい。
【００１１】
二つのスリット４１０Ｌ、４１０Ｒの間隔は、背面部４１の下端側に進むにつれて短縮されることが望ましい。例えば、背面部４１の中央より左側のスリットであるスリット４１０Ｌの左端は、当該スリット４１０Ｌの右端よりも背面部４１の上端側に位置し、背面部４１の中央より右側のスリットであるスリット４１０Ｒの右端は、当該スリット４１０Ｒの左端よりも背面部４１の上端側に位置するのが望ましい。二つのスリット４１０Ｌ、４１０Ｒの好適な配置について簡潔に表現するならば、二つのスリット４１０Ｌ、４１０Ｒは、背面部４１において、Ｖ字形状（逆ハの字形状）に配列されることが望ましい。
【００１２】
上述のように、二つのスリット４１０Ｌ、４１０Ｒを背面部４１に設けたことにより、二つのスリット４１０Ｌ、４１０Ｒに譜面８の左右の角を各々収容することができるため、譜面を良好に保持して頁が勝手に捲れることを防ぎ、また速やかに頁を捲ることができる。また、スリット４１０Ｌ、４１０Ｒに収容される部分に譜面の重要な印字部分が含まれる可能性が低くなり、譜面の閲覧を妨げる可能性が低い。
【００１３】
＜変形例＞
以下、図３を参照してスリット４１０Ｌ、４１０Ｒの配置及び形状のバリエーション（変形例）について説明する。図３は、実施例１の譜面立てに設けるスリットの位置および形状のバリエーション（変形例）を示す図である。
【００１４】
図３Ａは、二つのスリット４１０Ｌ、４１０ＲをＶ字形状（逆ハの字形状）に配列した前述の例を示す図である。
【００１５】
図３Ｂは、二つのスリット４１１Ｌ、４１１Ｒを図３Ａよりも縦長の（上下方向に長い）Ｖ字形状（逆ハの字形状）に配列した例を示す図である。図３Ｂのようにスリットを縦長に配列することにより、譜面の余白部分のみがスリット内に収容され、譜面の重要な印字部分がスリット内に隠れる可能性が低くなる。
【００１６】
図３Ｃは、二つのスリット４１２Ｌ、４１２Ｒを図３Ａよりも横長に（左右方向に長く）してＶ字形状（逆ハの字形状）に配列した例を示す図である。図３Ｃのようにスリットを横長に配列することにより、譜面の余白部分のみがスリット内に収容され、譜面の重要な印字部分がスリット内に隠れる可能性が低くなる。またスリットを横長に配列することにより、様々なサイズの譜面の角を保持することができる。
【００１７】
図３Ｄは、広い間隔を有する一対のスリット４１３ＬＬ、４１３ＲＲと、狭い間隔を有する一対のスリット４１３Ｌ、４１３ＲをそれぞれＶ字形状（逆ハの字形状）に配列した例を示す図である。図３Ｄのように間隔の異なる複数のスリット対を形成することにより、様々なサイズの譜面の角を保持することができる。
【００１８】
図３Ｅは、二つのスリット４１４Ｌ、４１４Ｒの長さを図３Ａなどよりも長くし、縦長の（上下方向に長い）Ｖ字形状（逆ハの字形状）に配列した例を示す図である。図３Ｅのようにスリットを長くして縦長に配列することにより、譜面の重要な印字部分が隠れないようにしながら、譜面をより確実にホールドすることができる。また、スリットを長くして縦長に配列することにより頁の抜き差しがより容易になり、より円滑に頁捲りを行うことができる。
【００１９】
図３Ｆは、二つのスリット４１５Ｌ、４１５Ｒを曲線としてＶ字形状（逆ハの字形状）に配列した例を示す図である。スリット４１５Ｌは譜面の左下の角に沿うように弓なりに湾曲した曲線であるものとし、スリット４１５Ｒは譜面の右下の角に沿うように弓なりに湾曲した曲線であるものとする。図３Ｆのようにスリットを曲線として、スリットと譜面の接触長さを増やすことで譜面をより確実にホールドすることができる。また、図３Ｆのようにスリットを譜面の左右下端の角の形状に沿うように弓なりに湾曲した曲線とすることで、譜面の重要な印字部分がスリット内に隠れる可能性が低くなる。
【００２０】
図３Ｇは、二つのスリット４１６Ｌ、４１６Ｒの長さを図３Ａなどよりも長くし、何れのスリットも上下方向に平行に配列した例を示す図である。図３Ｇの例では、二つのスリットはＶ字形状（逆ハの字形状）に配列されていない。図３Ｇのようにスリットを長くして上下方向に平行に配列することにより、スリットと譜面の接触長さが増加し、譜面をより確実にホールドすることができる。図３Ｇの場合、スリット４１６Ｌ、４１６Ｒには譜面の左右下端の二つの角だけではなく、譜面の左右上端の二つの角も収容される。
【００２１】
図３Ｈは、スリット４１７Ｌを譜面の左端および上下端に沿うように三日月形に湾曲した曲線とし、スリット４１７Ｒを譜面の右端および上下端に沿うように三日月形に湾曲した曲線とした例を示す図である。図３Ｈのようにスリットを三日月形に湾曲した曲線とすることにより、スリットと譜面の接触長さが増加し、譜面をより確実にホールドすることができる。また、図３Ｈのようにスリットを三日月形に湾曲した曲線とすることにより、スリット内に隠れるのは譜面の上下左右の角のみとすることができるから、譜面の重要な印字部分がスリット内に隠れる可能性が低くなる。
【００２２】
図３Ｉは、スリット４１８Ｌを背面部４１の左下隅に、その左端がその右端よりも背面部４１上端側に位置するように傾けて配置して当該スリットが譜面の左下角を収容できるようにし、スリット４１８Ｒを背面部４１の右上隅に、その左端がその右端よりも背面部４１上端側に位置するように傾けて配置して当該スリットが譜面の右上角を収容できるようにした例を示す図である。図３ＩのようにスリットをＶ字形状（逆ハの字形状）以外の配置とした場合でも、二つのスリットが、譜面の左右二つの角（上端、下端を問わない）を各々収容することができれば、図３Ａに例示した譜面立てと同様の効果を奏する。
【００２３】
図３Ｊは、図３Ｅにおけるスリット４１４Ｌと同じ形状、同じ配置としたスリット４１９Ｌと、図３Ｇにおけるスリット４１６Ｒと同じ形状、同じ配置としたスリット４１９Ｒとを含み、スリットが左右非対称に配置された例を示す図である。図３Ｊに例示したように、スリットをＶ字形状（逆ハの字形状）以外の配置とし、スリットを左右非対称に配置した場合であっても、二つのスリットが、譜面の左右二つの角（上端、下端を問わない）を各々収容することができれば、図３Ａに例示した譜面立てと同様の効果を奏する。
【００２４】
なお、図２、図３に示した構成は、背面部４１に長穴を開ける加工ができる材料であれば容易に実現できる。例えば堅木の銘木板を用いた場合でも別部品として頁押さえ用の棒等を要さず、接合や刳りぬきなどの工程を経ず長穴加工のみで頁押さえ機能をもつ譜面立て４を実現することができる。
【００２５】
以下、図４を参照して本実施例およびその変形例の譜面立てのスリットに譜面を差し込んだ場合の譜面の形状について説明する。図４は本実施例およびその変形例の譜面立て４のスリット４１０Ｌ〜４１９Ｌに譜面８を差し込んだ場合の譜面８の形状を例示する概略断面図である。図４Ａは、段差部がない場合の譜面８の形状を例示する概略断面図である。図４Ｂは、段差部を設けた場合の譜面８の形状を例示する概略断面図である。図４Ｃは、図４Ｂの場合よりも大きな段差ｄの段差部を設けた場合の譜面８の形状を例示する概略断面図である。図４Ａに例示するように、背面部４１が段差のない平面で構成される場合、譜面８の角をスリット４１０Ｌ〜４１９Ｌ、４１０Ｒ〜４１９Ｒに差し込んで支持することにより、譜面８は、現在開いている各頁の中ほどが前方向に膨らむように撓んだ状態で安定する。譜面８が上述のように撓むことにより、譜面８を正面から見ると各頁の中央部分に比べ周辺部分（角部分）がやや縮小してみえる。また撓みが大きい場合、譜面８の抜き差しがしにくくなる場合がある。譜面の撓みを少なくするために、例えば図４Ｂのように背面部４１の左右前方に位置する前方部４２Ｌ、４２Ｒを設け、背面部４１から前方部４２Ｌに至る段差部４６Ｌにスリット４１０Ｌ〜４１９Ｌを設け、背面部４１から前方部４２Ｒに至る段差部４６Ｒにスリット４１０Ｒ〜４１９Ｒを設けてもよい（右側の構成要件は図示省略）。前方部４２Ｌ、４２Ｒを設け、段差部４６Ｌ、４６Ｒにスリット４１０Ｌ〜４１９Ｌ、４１０Ｒ〜４１９Ｒを設けることにより、譜面８の撓みは軽減される。これにより、譜面８の平坦性が確保され、譜面８の抜き差しが容易になる。例えば、市販の冊子形式の譜面の厚みのバリエーションを予め調べておき、大部分の譜面の厚みよりも大きくなるように、段差高さｄをあらかじめ決めておき、図４Ｃのように段差高さｄに基づいて前方部４２Ｌ、４２Ｒを設けてもよい。例えば段差高さｄ＝１０ｍｍとすることができる。この場合、譜面８はほとんど撓むことなく、譜面８の印字面が平坦な状態で保持される。
【００２６】
＜第１の実施形態＞
以下、図３Ａにおけるスリット４１０Ｌ、４１０Ｒの配置及び形状を採用し、図４Ｂまたは図４Ｃにおける前方部４２Ｌ、４２Ｒを採用し、譜面を載置する底部を備える構成とした第１の実施形態の譜面立てについて説明する。図５、図６を参照して本実施形態の譜面立ての構造について説明する。図５は、本実施形態の譜面立て１をその表面（前面）から見た斜視図である。図６は、本実施形態の譜面立て１をその裏面（背面）から見た斜視図である。
【００２７】
図５、図６に示すように本実施形態の譜面立て１は、長方形板形状の背面部１１と、背面部１１の下端から前方に延伸された長方形板形状の底部１２と、背面部１１の下端から下方に延伸された略長方形板形状の脚部１３を含む構成である。背面部１１、底部１２、脚部１３はいずれもそれらの角に所定のＲをつけられている。
【００２８】
脚部１３には取付用穴（図示略）が設けられており、この取付用穴によって鍵盤楽器などの所定の鉛直面に取り付けられる。背面部１１の背面と脚部１３の背面とがなす角は１８０°よりも僅かに小さい角度に狭められている。これにより、本譜面立て１が鍵盤楽器などに取り付けられた状態において、背面部１１は僅かに後方に傾斜した状態で固定される。背面部１１の後方への傾斜角度は、譜面の背や表紙を支持しやすく、譜面の閲覧に適した傾斜角度とされる。背面部１１の左端、右端、上端には、背面部の表面中央が凸（裏面中央が凹）となる向きに傾斜された傾斜面１１４が設けられている。傾斜面１１４に囲まれた傾斜面１１４以外の平坦な面を譜面支持面１１３と呼ぶ。譜面支持面１１３の左下端の角には、譜面支持面１１３の前方に位置する前方部１１２Ｌが設けられている。例えば前方部１１２Ｌは譜面支持面１１３の１０ｍｍ前方に設けられていてもよい。譜面支持面１１３から前方部１１２Ｌに至る段差部１１６Ｌにスリット１１１Ｌが設けられている。前方部１１２Ｌは左下端の角が直角な直角三角形形状とされている。段差部１１６Ｌは前方部１１２Ｌの斜辺を長辺とする長方形形状である。本実施形態では段差部１１６Ｌ全体を開口してスリット１１１Ｌとしている。本譜面台は左右対称な構成となっており右側も同様の構造である。具体的には、譜面支持面１１３の右下端の角には、譜面支持面１１３の前方に位置する直角三角形形状の前方部１１２Ｒが設けられ、譜面支持面１１３から前方部１１２Ｒに至る段差部１１６Ｒ全体が開口されてスリット１１１Ｒとされている。傾斜面１１４と譜面支持面１１３の左右の接続部には、譜面支持面１１３の表面がわずかに低くなるように小さな段１１５が設けられている。段１１５は、譜面支持面１１３の上端側に進むにつれその高さが低くなり、譜面支持面１１３の上端において譜面支持面１１３と傾斜面１１４とが高低差なく接続されている。
【００２９】
底部１２は先端側に進むにつれその厚みが薄くなるようにテーパーがつけられている。底部１２の幅方向長さは例えば２０ｍｍ程度、あるいはそれ以上の長さとすることができる。底部１２の上面の大部分は、滑り止め用の浅い溝を備える譜面載置面１２１とされている。
【００３０】
なお、前方部１１２Ｌ、１１２Ｒの後方に前方部１１２Ｌ、１１２Ｒと平行な面を設け、譜面の角を収容するポケットを構成してもよい。本実施形態の譜面立て１においてポケットを採用せずに上述のような構成としたのは、その製造のしやすさからである。以下、図７を参照して本実施形態の譜面立て１の製造に用いる金型について簡単に説明する。図７は本実施形態の譜面立て１を樹脂一体成型により製造するための金型の断面図である。図７に示すように本実施形態の譜面立て１を製造するために必要な金型は、メス金型２とオス金型３の二つのみである。、メス金型２、オス金型３ともに２方向抜きの金型である。オス金型３に設けた突出部３１と、メス金型に設けた窪み２１により前述の前方部１１２Ｌ、１１２Ｒを形成することができる。突出部３１の上面と窪み２１の上面とが接触することにより、接触部分に樹脂が流れ込まず、スリット１１１Ｌ、１１１Ｒが形成される。
【００３１】
このように、本実施形態の譜面立て１は簡単な金型（２方向抜きの金型）による樹脂一体成型で製造でき、頁押さえに用いる別部品の取り付けを必要としない。また、図１に示した従来の譜面立て９が備える譜面立て竿９２や、これに類似する構成の頁押さえよりも譜面各頁の上下方向の広い範囲を抑えることができ譜面の開き状態がより安定する。また従来の譜面立て竿９２のように頁捲りの際に頁が通過する領域に障害物となる構造が存在しないため、頁捲りを妨げることがない。
【００３２】
本実施形態の譜面立て１によれば、複数頁の譜面の厚み以上の段差を有する段差部１１６Ｌ、１１６Ｒ全体を開口してスリット１１１Ｌ、１１１Ｒを設けたため、図２、図３で説明した構成と比較して譜面の変形が少なくて済み、スリット１１１Ｌ、１１１Ｒへの譜面の出し入れが容易になる。
【００３３】
また、本実施形態の譜面立て１によれば、譜面８の下端を載置する底部１２を設けたため、スリット１１１Ｌ、１１１Ｒを用いない場合であっても、譜面が譜面立て１から滑り落ちることを防止できる。
【００３４】
本実施形態の譜面立て１は、各種の天板形状の電子鍵盤楽器に共通部品として用いることが可能である。電子鍵盤楽器の天板が曲面であったり、段差をもつ場合などであって、天板に譜面を載置することができない場合であっても、当該電子鍵盤楽器に本実施形態の譜面立て１を取り付けることにより、冊子形式の譜面の載置、頁押さえが可能となる。
【図１】
0006615480.tif 000002
【図２】
0006615480.tif 000003
【図３】
0006615480.tif 000004
【図４】
0006615480.tif 000005
【図５】
0006615480.tif 000006
【図６】
0006615480.tif 000007
【図７】
0006615480.tif 000008